(57)【要約】【課題】本発明は、情報量の少なく、送信頻度の低い線画情報を送受信する携帯送信端末を提供することを目的とする。【解決手段】本発明は、接触状態と接触位置を検出するタッチパネルと、前記タッチパネルが接触状態を検出し続けている間は一筆の線画と判断し、一筆の線画に属する接触位置を線画情報として変換する送信制御部と、前記送信制御部の変換した前記線画情報を記憶する送信記憶部と、前記記憶部の記憶する前記線画情報を、一筆ごとに送信する送信部と、を備える携帯送信端末である。【選択図】図１
2011141726.tif 000002
【特許請求の範囲】
【請求項１】
接触状態と接触位置を検出するタッチパネルと、
前記タッチパネルが接触状態を検出し続けている間は一筆の線画と判断し、一筆の線画に属する接触位置を線画情報として変換する送信制御部と、
前記送信制御部の変換した前記線画情報を記憶する送信記憶部と、
前記記憶部の記憶する前記線画情報を、一筆ごとに送信する送信部と、
を備える携帯送信端末。
【請求項２】
前記送信制御部は、前記一筆の線画について一定距離ごとの点の位置を線画情報として変換することを特徴とする請求項１に記載の携帯送信端末。
【請求項３】
送信した前記線画情報を受信した旨の返信を受信する確認部を、さらに備え、
前記送信制御部は、変換した前記線画情報に未送信フラグを付加し、
前記送信部は、前記記憶部の記憶する未送信フラグのついた線画情報について、前記線画情報を一筆ごとに送信し、
前記送信記憶部は、前記送信制御部の変換した前記線画情報に未送信フラグを付加して記憶し、前記確認部が前記返信を受信すると、記憶した線画情報に付加されている前記未送信フラグに代えて、送信済フラグに書き換えることを特徴とする請求項１又は２に記載の携帯送信端末。
【請求項４】
線画情報を受信する受信部と、
前記受信部の受信した線画情報を記憶する受信記憶部と、
前記受信記憶部の記憶した線画情報から一筆ごとの線画に逆変換する受信制御部と、
前記受信制御部の逆変換した一筆ごとの線画を表示する表示部と、
を備える携帯受信端末。
【請求項５】
接触状態と接触位置を検出するタッチ検出手順と、
接触状態が検出され続けている間は一筆の線画と判断し、一筆の線画に属する接触位置を線画情報として変換する送信制御手順と、
変換した前記線画情報を記憶し、記憶する前記線画情報を、一筆ごとに送信する送信手順と、
を順に備える携帯送信方法。
【請求項６】
線画情報を受信する受信手順と、
前記受信した線画情報を記憶し、記憶した線画情報から一筆ごとの線画に逆変換する受信制御手順と、
前記逆変換した一筆ごとの線画を表示する表示手順と、
を備える携帯受信方法。
【請求項７】
接触状態と接触位置を検出するタッチ検出手順と、
接触状態が検出され続けている間は一筆の線画と判断し、一筆の線画に属する接触位置を線画情報として変換する送信制御手順と、
変換した前記線画情報を記憶し、記憶する前記線画情報を、一筆ごとに送信する送信手順と、
を順に備える携帯送信端末に実行させる携帯送信端末の携帯送信プログラム。
【請求項８】
線画情報を受信する受信手順と、
前記受信した線画情報を記憶し、記憶した線画情報から一筆ごとの線画に逆変換する受信制御手順と、
前記逆変換した一筆ごとの線画を表示する表示手順と、
を備える携帯受信端末に実行させる携帯受信端末の携帯受信プログラム。
【請求項９】
接触状態と接触位置を検出するタッチパネルと、
前記タッチパネルが接触状態を検出し続けている間は一筆の線画と判断し、一筆の線画に属する接触位置を線画情報として変換する送信制御部と、
前記送信制御部の変換した前記線画情報を記憶する送信記憶部と、
前記記憶部の記憶する前記線画情報を、一筆ごとに送信する送信部と、
を備える携帯送信端末、及び
前記線画情報を受信する受信部と、
前記受信部の受信した前記線画情報を記憶する受信記憶部と、
前記受信記憶部の記憶した前記線画情報から一筆ごとの線画に逆変換する受信制御部と、
前記受信制御部の逆変換した前記一筆ごとの線画を表示する表示部と、
を備える携帯受信端末
を有する携帯送受信システム。
【請求項１０】
接触状態と接触位置を検出するタッチ検出手順と、
接触状態が検出され続けている間は一筆の線画と判断し、一筆の線画に属する接触位置を線画情報として変換する送信制御手順と、
変換した前記線画情報を記憶し、記憶する前記線画情報を、一筆ごとに送信する送信手順と、
線画情報を受信する受信手順と、
前記受信した線画情報を記憶し、記憶した線画情報から一筆ごとの線画に逆変換する受信制御手順と、
前記逆変換した一筆ごとの線画を表示する表示手順と、
を備える携帯送受信方法。
【発明の詳細な説明】
【技術分野】
【０００１】
本発明は、手書きの線画を送受信する携帯送信端末、携帯受信端末、携帯送受信システム、携帯送信方法、携帯受信方法、携帯送受信方法、携帯送信端末に実行させる携帯送信プログラム及び携帯受信端末に実行させる携帯受信プログラムに関する。
【背景技術】
【０００２】
携帯端末を通話だけでなく、コミュニケーションをより容易にするために、カメラで撮影した画像を送信したり、手書きの線画を送受信したりする技術が開発されている（例えば、特許文献１参照。）。
【０００３】
特許文献１に記載された携帯型情報通信装置は、送信側では、一定時間ごとにペンの接触及び位置を検出して、ペンのイベント情報及び位置情報を送信し、受信側では、ペンのイベント情報及び位置情報から手書きの線画を再構成するものである。
【先行技術文献】
【特許文献】
【０００４】
【特許文献１】特開２００１−１１１７０８号公報
【発明の概要】
【発明が解決しようとする課題】
【０００５】
しかし、特許文献１に記載の技術では、ペンの位置情報のそれぞれにペンのイベント情報を付加するため、情報量が膨大となる。また、一定時間ごとにペンのイベント情報及び位置情報を送信するため、送信頻度も高くなる。
【０００６】
本発明は、情報量の少なく、送信頻度の低い線画情報を送受信する携帯送信端末、携帯受信端末、携帯送受信システム、携帯送信方法、携帯受信方法、携帯送受信方法、並びに携帯送信端末に実行させる携帯送信プログラム及び携帯受信端末に実行させる携帯受信プログラムを提供することを目的とする。
【課題を解決するための手段】
【０００７】
上記目的を達成するために、本発明に係る携帯送信端末は、接触状態と接触位置を検出するタッチパネルと、前記タッチパネルが接触状態を検出し続けている間は一筆の線画と判断し、一筆の線画に属する接触位置を線画情報として変換する送信制御部と、前記送信制御部の変換した前記線画情報を記憶する送信記憶部と、前記記憶部の記憶する前記線画情報を、一筆ごとに送信する送信部と、を備える。
【０００８】
上記目的を達成するために、本発明に係る携帯受信端末は、線画情報を受信する受信部と、前記受信部の受信した線画情報を記憶する受信記憶部と、前記受信記憶部の記憶した線画情報から一筆ごとの線画に逆変換する受信制御部と、前記受信制御部の逆変換した一筆ごとの線画を表示する表示部と、を備える。
【０００９】
上記目的を達成するために、本発明に係る携帯送信方法は、接触状態と接触位置を検出するタッチ検出手順と、接触状態が検出され続けている間は一筆の線画と判断し、一筆の線画に属する接触位置を線画情報として変換する送信制御手順と、変換した前記線画情報を記憶し、記憶する前記線画情報を、一筆ごとに送信する送信手順と、を順に備える。
【００１０】
上記目的を達成するために、本発明に係る携帯受信方法は、線画情報を受信する受信手順と、前記受信した線画情報を記憶し、記憶した線画情報から一筆ごとの線画に逆変換する受信制御手順と、前記逆変換した一筆ごとの線画を表示する表示手順と、を備える。
【００１１】
上記目的を達成するために、本発明に係る携帯送信端末に実行させる携帯送信端末の携帯送信プログラムは、接触状態と接触位置を検出するタッチ検出手順と、接触状態が検出され続けている間は一筆の線画と判断し、一筆の線画に属する接触位置を線画情報として変換する送信制御手順と、変換した前記線画情報を記憶し、記憶する前記線画情報を、一筆ごとに送信する送信手順と、を順に備える。
【００１２】
上記目的を達成するために、本発明に係る携帯受信端末に実行させる携帯受信端末の携帯受信プログラムは、線画情報を受信する受信手順と、前記受信した線画情報を記憶し、記憶した線画情報から一筆ごとの線画に逆変換する受信制御手順と、前記逆変換した一筆ごとの線画を表示する表示手順と、を備える。
【００１３】
上記目的を達成するために、本発明に係る携帯送受信システムは、接触状態と接触位置を検出するタッチパネルと、前記タッチパネルが接触状態を検出し続けている間は一筆の線画と判断し、一筆の線画に属する接触位置を線画情報として変換する送信制御部と、前記送信制御部の変換した前記線画情報を記憶する送信記憶部と、前記記憶部の記憶する前記線画情報を、一筆ごとに送信する送信部と、を備える携帯送信端末、及び前記線画情報を受信する受信部と、前記受信部の受信した前記線画情報を記憶する受信記憶部と、前記受信記憶部の記憶した前記線画情報から一筆ごとの線画に逆変換する受信制御部と、前記受信制御部の逆変換した前記一筆ごとの線画を表示する表示部と、を備える携帯受信端末を有する。
【００１４】
上記目的を達成するために、本発明に係る携帯送受信方法は、接触状態と接触位置を検出するタッチ検出手順と、接触状態が検出され続けている間は一筆の線画と判断し、一筆の線画に属する接触位置を線画情報として変換する送信制御手順と、変換した前記線画情報を記憶し、記憶する前記線画情報を、一筆ごとに送信する送信手順と、線画情報を受信する受信手順と、前記受信した線画情報を記憶し、記憶した線画情報から一筆ごとの線画に逆変換する受信制御手順と、前記逆変換した一筆ごとの線画を表示する表示手順と、
を備える。
【発明の効果】
【００１５】
本発明によれば、情報量の少なく、送信頻度の低い線画情報を送受信する携帯送信端末、携帯受信端末、携帯送受信システム、携帯送信方法、携帯受信方法、携帯送受信方法、携帯送信端末に実行させる携帯送信プログラム及び携帯受信端末に実行させる携帯受信プログラムを提供することができる。
【図面の簡単な説明】
【００１６】
【図１】本実施形態に係る携帯送信端末及び携帯受信端末の一例を示す概観図
【図２】本実施形態に係る線画情報を送信する携帯送信端末の構成概要図
【図３】本実施形態に係る線画情報を送信する携帯送信方法のフローチャート
【図４】本実施形態に係る一筆の線画の線画情報への変換を説明する図
【図５】本実施形態に係る線画情報の例を説明する図
【図６】本実施形態に係る線画情報を送信する携帯受信端末の構成概要図
【図７】本実施形態に係る線画情報を受信する携帯受信方法のフローチャート
【図８】本実施形態に係る線画情報から一筆の線画への逆変換を説明する図
【図９】本実施形態に係る線画情報を送受信する携帯送受信方法のフローチャート
【図１０】本実施形態に係る線画情報を送信する携帯送信端末の構成概要図
【図１１】本実施形態に係る線画情報を送信する携帯送信方法のフローチャート
【図１２】本実施形態に係る線画情報を送信する携帯受信端末の構成概要図
【図１３】本実施形態に係る線画情報を受信する携帯受信方法のフローチャート
【図１４】本実施形態に係る線画情報を送受信する携帯送受信方法のフローチャート
【図１５】本実施形態に係る携帯送信端末及び携帯受信端末の一例を示す概観図
【図１６】本実施形態に係る携帯送信端末及び携帯受信端末の一例を示す概観図
【図１７】本実施形態に係る送信情報の例を説明する図
【発明を実施するための形態】
【００１７】
添付の図面を参照して本発明の実施形態を説明する。以下に説明する実施形態は本発明の実施の一形態であり、本発明は、以下の実施形態に制限されるものではない。なお、本明細書及び図面において符号が同じ構成要素は、相互に同一のものを示すものとする。
【００１８】
（実施形態１）
本実施形態に係る携帯送信端末及び携帯受信端末の一例を示す概観図を図１に示す。図１において、本実施形態に係る携帯送信端末１００は、タッチパネル１０１を備え、携帯受信端末２００は、画面２０７を備える。携帯送信端末１００には、タッチペン１０２を備えてもよい。
【００１９】
タッチペン１０２を使用してタッチパネル１０１に手書きの線画を描くと、タッチパネル１０１はタッチペン１０２の接触があるか否かの接触状態を検出し、併せて、タッチパネル１０１のどの位置に接触しているかの接触位置を検出する。携帯送信端末１００は、一筆の線画に属する接触位置を線画情報に変換して携帯受信端末２００に送信する。携帯受信端末２００は、受信した線画情報から一筆ごとの線画に逆変換して画面２０７に表示する。
【００２０】
ここでは、タッチパネルにタッチペンで線画を描いたが、マウスなどのポインティングデバイスやカーソルを移動させる上下左右方向キーなどで線画を描いてもよい。
【００２１】
図１では、携帯送信端末及び携帯受信端末として携帯無線電話機を例示したが、ＰＨＳ（Ｐｅｒｓｏｎａｌ  Ｈａｎｄｙ−ｐｈｏｎｅ  Ｓｙｓｔｅｍ）やデータ通信端末装置等でもよい。また、携帯送信端末及び携帯受信端末はそれぞれ、送信機能と受信機能を併せて備えてもよい。タッチペンに代えて、指でタッチパネルに接触してもよい。タッチパネルは電気的な接触を検知してもよいし、物理的な圧力を検知してもよいし、光学的な反射、屈折、遮断を検知してもよい。接触状態及び接触位置を検出するものであれば手段は問わない。
【００２２】
線画情報を送信する携帯送信端末の構成概要図を図２に示す。携帯送信端末は、タッチパネル１０１、送信制御部１０３、送信記憶部１０４及び送信部１０５を備える。タッチパネル１０１は、タッチパネルにタッチペンの接触があるか否かの接触状態とタッチペンがタッチパネル１０１のどの位置に接触しているかの接触位置を検出する。送信制御部１０３は、タッチパネル１０１の検出する接触状態と接触位置から、タッチパネル１０１が接触状態を検出し続けている間は一筆の線画と判断し、一筆の線画に属する接触位置を線画情報として変換する。送信記憶部１０４は、送信制御部１０３の変換した線画情報を記憶する。送信部１０５は送信記憶部１０４の記憶する線画情報を、一筆ごとに送信する。
【００２３】
本実施形態の携帯送信端末は、一筆の線画に属する接触位置を線画情報として変換し、一筆ごとに送信するため、情報量が少なく、送信頻度が低い携帯送信端末とすることができる。
【００２４】
線画情報を送信する携帯送信方法のフローチャートを図３に示す。図３において、携帯送信方法は、タッチ検出手順Ｓ１０１、送信制御手順Ｓ１０２、送信手順Ｓ１０３を順に備える。タッチ検出手順Ｓ１０１では、タッチパネルにタッチペンの接触があるか否かの接触状態とタッチペンがタッチパネルのどの位置に接触しているかの接触位置を検出する。送信制御手順Ｓ１０２では、接触状態が検出され続けている間は一筆の線画と判断し、一筆の線画に属する接触位置を線画情報として変換する。送信手順Ｓ１０３では、送信制御手順Ｓ１０２で変換した線画情報を記憶し、記憶する前記線画情報を、一筆ごとに送信する。
【００２５】
本実施形態の携帯送信方法は、一筆の線画に属する接触位置を線画情報として変換し、一筆ごとに送信するため、情報量が少なく、送信頻度が低い携帯送信方法とすることができる。
【００２６】
本実施形態に係る携帯送信端末に実行させる携帯送信端末の携帯送信プログラムは、図３に示すフローチャートの各手順を実行するプログラムである。
【００２７】
次に、一筆の線画の線画情報への変換について図２、図３、図４を用いて説明する。送信制御手順Ｓ１０２において、送信制御部１０３は図４（ａ）に示す一筆の線画について、図４（ｂ）に示すように一定距離ごとの点に分解し、それぞれの点のある場所をＸ座標とＹ座標に変換する。描かれる線画を一定時間ごとに点に分解するよりも、精度よく線画を再構成することができる。即ち、一定時間ごとに点に分解すると、素早く線画を描いたときに、点が分離されてしまうため、点から線画を再構成する際に、滑らかな曲線とならない。一筆の線画について、一筆の最初の点から一筆の最後の点までのそれぞれの点の座標の集合である線画情報に変換される。ここでは、Ｘ座標とＹ座標の直交座標を例にしたが、円座標に変換してもよい。２次元上の位置を特定できれば座標の種類は問わない。
【００２８】
線画情報の例を図５に示す。図５の右欄の列にあるように、一筆ごとにひとつの線画情報を構成し、それぞれの線画情報は、一筆の最初の点から一筆の最後の点までのそれぞれの点の座標の集合となっている。このような線画情報には、各点ごとに接触状態を表す情報が不要となるため、情報量を少なくできる。また、このような線画情報を一筆ごとに送信すれば、情報の遅延も少なくかつ送信頻度を低くすることができる。
【００２９】
線画情報を受信する携帯受信端末の構成概要図を図６に示す。携帯受信端末は、受信部２０２、受信記憶部２０３、受信制御部２０４、受信表示制御部２０６及び画面２０７を備える。受信部２０２は、線画情報を受信する。受信記憶部２０３は受信部２０２の受信した線画情報を記憶する。受信制御部２０４は、受信記憶部２０３の記憶した線画情報から一筆ごとの線画に逆変換する。受信表示制御部２０６は、受信制御部２０４の逆変換した一筆ごとの線画を表示するために、画面２０７に適した表示制御を行う。画面２０７は受信表示制御部２０６の表示制御に従って、線画を表示する。受信表示制御部２０６及び画面２０７で表示部２０５を構成する。
【００３０】
本実施形態の携帯受信端末は、一筆ごとの線画に対応する線画情報を受信し、一筆ごとの線画を表示するため、情報量が少なく、受信頻度が低い携帯受信端末とすることができる。
【００３１】
線画情報を受信する携帯受信方法のフローチャートを図７に示す。図７において、携帯受信方法は、受信手順Ｓ２０１、受信制御手順Ｓ２０２、表示手順Ｓ２０３を順に備える。受信手順Ｓ２０１では、線画情報を受信する。受信制御手順Ｓ２０２では、受信手順Ｓ２０１で受信した線画情報を記憶し、記憶した線画情報から一筆ごとの線画に逆変換する。表示手順Ｓ２０３では、受信制御手順Ｓ２０２で逆変換した一筆ごとの線画を表示する。
【００３２】
本実施形態の携帯受信方法は、一筆ごとの線画に対応する線画情報を受信し、一筆ごとの線画を表示するため、情報量が少なく、受信頻度が低い携帯受信方法とすることができる。
【００３３】
本実施形態に係る携帯受信端末に実行させる携帯受信端末の携帯受信プログラムは、図７に示すフローチャートの各手順を実行するプログラムである。
【００３４】
次に、線画情報から一筆の線画への逆変換について図６、図７、図８を用いて説明する。受信制御手順Ｓ２０２において、受信制御部２０４は図８（ａ）に示すＸ座標とＹ座標で表された点の座標の集合について、最初の点から最後の点までを連続した線画に逆変換する。線画情報の例として、例えば、図５の右欄の列にあるように、一筆ごとにひとつの線画情報を構成し、それぞれの線画情報は、一筆の最初の点から一筆の最後の点までのそれぞれの点の座標の集合となっている。この点の座標の集合から、図８（ｂ）に示すような、一筆の線画に逆変換する。円座標であれば、円座標の集合について、最初の点から最後の点までを連続した線画に逆変換する。
【００３５】
線画情報を送受信する携帯送受信システム及び送受信方法を図２、図６、図９を用いて説明する。線画情報を送受信する携帯送受信システムの送信側は図２を用いて説明した通りである。線画情報を送受信する携帯送受信システムの受信側は図６を用いて説明した通りである。線画情報を送受信する携帯送受信方法のフローチャートを図９に示す。図９において、携帯送受信方法は、タッチ検出手順Ｓ１０１、送信制御手順Ｓ１０２、送信手順Ｓ１０３、受信手順Ｓ２０１、受信制御手順Ｓ２０２、表示手順Ｓ２０３を順に備える。各手順はすでに、図３及び図７を用いて説明したものと同じである。送信手順Ｓ１０３の後に、受信手順Ｓ２０１以下が実行される。
【００３６】
以上説明したように、本実施形態に係る携帯送信端末、携帯送信方法、携帯送信端末に実行させる携帯送信端末の携帯送信プログラム、携帯受信端末、携帯受信方法、携帯受信端末に実行させる携帯受信端末の携帯受信プログラム、携帯送受信システム及び携帯送受信方法は、情報量が少なく、送信頻度が低い線画情報を送受信することができる。
【００３７】
（実施形態２）
本実施形態に係る線画情報を送信する携帯送信端末の構成概要図を図１０に示す。携帯送信端末は、タッチパネル１０１、送信制御部１０３、送信記憶部１０４、送信部１０５、確認部１１０及び送信表示制御部１１１を備える。タッチパネル１０１は、タッチパネルにタッチペンの接触があるか否かの接触状態とタッチペンがタッチパネル１０１のどの位置に接触しているかの接触位置を検出する。送信制御部１０３は、タッチパネル１０１の検出する接触状態と接触位置から、タッチパネル１０１が接触状態を検出し続けている間は一筆の線画と判断し、一筆の線画に属する接触位置を線画情報として変換し、変換した線画情報に未送信フラグを付加する。送信記憶部１０４は、送信制御部１０３の変換した線画情報に未送信フラグを付加して記憶する。送信部１０５は送信記憶部１０４の記憶する未送信フラグのついた線画情報について、前記線画情報を、一筆ごとに送信する。確認部１１０は、送信部１０５の送信した線画情報を受信した旨の返信を受信する。送信記憶部１０４は、確認部１１０が当該返信を受信すると、記憶した線画情報に付加されている未送信フラグに代えて、送信済フラグに書き換える。送信する線画をタッチパネル１０１に表示する場合は、送信記憶部１０４の記憶する線画情報を送信制御表示部１１１が読み取り、タッチパネル１０１に表示させる。
【００３８】
本実施形態の携帯送信端末は、一筆の線画に属する接触位置を線画情報として変換し、一筆ごとに送信するため、情報量が少なく、送信頻度が低い携帯送信端末とすることができる。さらに、線画情報を受信した旨の返信を受信することによって、線画情報に付加する未送信フラグを送信済フラグに書き換えるため、線画情報の送信を確実なものとすることができる。また、すでに送信及び受信が完了したものについて再送信しないため、送信頻度を少なくすることができる。
【００３９】
線画情報を送信する携帯送信方法のフローチャートを図１１に示す。図１１において、携帯送信方法は、タッチ検出手順Ｓ１０１、送信制御手順Ｓ１０２、送信手順Ｓ１０３、確認手順Ｓ１１０、書き換え手順Ｓ１１１を順に備える。タッチ検出手順Ｓ１０１では、タッチパネルにタッチペンの接触があるか否かの接触状態とタッチペンがタッチパネルのどの位置に接触しているかの接触位置を検出する。送信制御手順Ｓ１０２では、接触状態が検出され続けている間は一筆の線画と判断し、一筆の線画に属する接触位置を線画情報として変換し、変換した線画情報に未送信フラグを付加する。送信手順Ｓ１０３では、送信制御手順Ｓ１０２で変換した線画情報に未送信フラグを付加して記憶し、記憶する未送信フラグのついた線画情報について、前記線画情報を、一筆ごとに送信する。確認手順Ｓ１１０では、送信手順Ｓ１０３で送信した線画情報を受信した旨の返信を受信する。書き換え手順Ｓ１１１では、確認手順Ｓ１１０で当該返信を受信すると、記憶した線画情報に付加されている未送信フラグに代えて、送信済フラグに書き換える。
【００４０】
本実施形態の携帯送信方法は、一筆の線画に属する接触位置を線画情報として変換し、一筆ごとに送信するため、情報量が少なく、送信頻度が低い携帯送信方法とすることができる。さらに、線画情報を受信した旨の返信を受信することによって、線画情報に付加する未送信フラグを送信済フラグに書き換えるため、線画情報の送信を確実なものとすることができる。また、すでに送信及び受信が完了したものについて再送信しないため、送信頻度を少なくすることができる。
【００４１】
本実施形態に係る携帯送信端末に実行させる携帯送信端末の携帯送信プログラムは、図１１に示すフローチャートの各手順を実行するプログラムである。
【００４２】
線画情報に付加される未送信フラグ、送信済フラグの例を図５に示す。線画情報に未送信フラグ又は送信済フラグが付加されている。このように、線画情報を受信した旨の返信を受信することによって、線画情報に付加する未送信フラグを送信済フラグに書き換えるため、線画情報の送信を確実なものとすることができる。
【００４３】
線画情報を受信する携帯受信端末の構成概要図を図１２に示す。携帯受信端末は、受信部２０２、受信記憶部２０３、受信制御部２０４、受信表示制御部２０６、画面２０７及び返信部２１０を備える。受信部２０２は、線画情報を受信する。受信記憶部２０３は受信部２０２の受信した線画情報を記憶する。受信制御部２０４は、受信記憶部２０３の記憶した線画情報から一筆ごとの線画に逆変換する。受信表示制御部２０６は、受信制御部２０４の逆変換した一筆ごとの線画を表示するために、画面２０７に適した表示制御を行う。画面２０７は受信表示制御部２０６の表示制御に従って、線画を表示する。受信表示制御部２０６及び画面２０７で表示部２０５を構成する。返信部２１０は、線画情報を受信すると、受信した旨を返信する。
【００４４】
本実施形態の携帯受信端末は、一筆ごとの線画に対応する線画情報を受信し、一筆ごとの線画を表示するため、情報量が少なく、受信頻度が低い携帯受信端末とすることができる。さらに、線画情報を受信した旨を返信することによって、線画情報の受信を確実なものとすることができる。また、すでに受信が完了したものについて再受信しないため、受信頻度を少なくすることができる。
【００４５】
線画情報を受信する携帯受信方法のフローチャートを図１３に示す。図１３において、携帯受信方法は、受信手順Ｓ２０１、受信制御手順Ｓ２０２、表示手順Ｓ２０３を順に備え、返信手順Ｓ２１０を受信手順Ｓ２０１、受信制御手順Ｓ２０２及び表示手順Ｓ２０３の後のいずれかに備える。受信手順Ｓ２０１では、線画情報を受信する。受信制御手順Ｓ２０２では、受信手順Ｓ２０１で受信した線画情報を記憶し、記憶した線画情報から一筆ごとの線画に逆変換する。表示手順Ｓ２０３では、受信制御手順Ｓ２０２で逆変換した一筆ごとの線画を表示する。返信手順Ｓ２１０では、受信手順Ｓ２０１で線画情報を受信すると、受信した旨を返信する。
【００４６】
本実施形態の携帯受信方法は、一筆ごとの線画に対応する線画情報を受信し、一筆ごとの線画を表示するため、情報量が少なく、受信頻度が低い携帯受信方法とすることができる。さらに、線画情報を受信した旨を返信することによって、線画情報の受信を確実なものとすることができる。また、すでに受信が完了したものについて再受信しないため、受信頻度を少なくすることができる。
【００４７】
本実施形態に係る携帯受信端末に実行させる携帯受信端末の携帯受信プログラムは、図１３に示すフローチャートの各手順を実行するプログラムである。
【００４８】
線画情報を送受信する携帯送受信システム及び送受信方法を図１０、図１２、図１４を用いて説明する。線画情報を送受信する携帯送受信システムの送信側の構成は図１０を用いて説明した通りである。線画情報を送受信する携帯送受信システムの受信側の構成は図１２を用いて説明した通りである。線画情報を送受信する携帯送受信方法のフローチャートを図１４に示す。図１４において、携帯送受信方法は、タッチ検出手順Ｓ１０１、送信制御手順Ｓ１０２、送信手順Ｓ１０３、受信手順Ｓ２０１、受信制御手順Ｓ２０２、表示手順Ｓ２０３を順に備え、返信手順Ｓ２１０を、受信手順Ｓ２０１、受信制御手順Ｓ２０２及び表示手順Ｓ２０３の後のいずれかに備え、返信手順Ｓ２１０の後に、確認手順Ｓ１１０、書き換え手順Ｓ１１１を順に備える。各手順はすでに、図１１及び図１３を用いて説明したものと同じである。
【００４９】
以上説明したように、本実施形態に係る携帯送信端末、携帯送信方法、携帯送信端末に実行させる携帯送信端末の携帯送信プログラム、携帯受信端末、携帯受信方法、携帯受信端末に実行させる携帯受信端末の携帯受信プログラム、携帯送受信システム及び携帯送受信方法は、情報量が少なく、送信頻度が低い線画情報を送受信することができる。さらに、線画情報を受信した旨を返信することによって、線画情報の送受信を確実なものとすることができる。
【００５０】
（実施形態３）
本実施形態に係る携帯送信端末及び携帯受信端末の一例を示す概観図を図１５に示す。図１５において、本実施形態に係る携帯送信端末１００は、さらに、送信側カメラ１２０を備え、携帯受信端末２００は、さらに、受信側カメラ２２０を備える。タッチパネル１０１は、下段に受信側カメラ２２０の撮影した画像を映し、上段に送信側カメラ１２０の撮影した画像を映す。画面２０７は、下段に送信側カメラ１２０の撮影した画像を映し、上段に受信側カメラ２２０の撮影した画像を映す。
【００５１】
タッチペン１０２を使用してタッチパネル１０１の画像に手書きの線画を描くと、タッチパネル１０１はタッチペン１０２の接触があるか否かの接触状態を検出し、併せて、タッチパネル１０１のどの位置に接触しているかの接触位置を検出する。携帯送信端末１００は、受信側カメラ２２０の撮影する画像に重ねて、線画を表示する。また、携帯送信端末１００は、一筆の線画に属する接触位置を線画情報に変換して携帯受信端末２００に送信する。この際、送信側カメラ１２０の撮影した画像も携帯受信端末２００に送信する。携帯受信端末２００は、受信した線画情報から一筆ごとの線画に逆変換し、受信した画像に線画を重ねて画面２０７に表示する。
【００５２】
カメラ画像に重ねて線画を表示することによって、ユーザのテレビ電話利用に付加価値を与えることができる。ここでは、撮影、表示する画像は動画でも静止画でもよい。また、携帯送信端末１００又は携帯受信端末２００は、必ずしも自分側画像を表示する必要はなく、相手側画像を表示するだけでもよい。
【００５３】
（実施形態４）
本実施形態に係る携帯送信端末及び携帯受信端末の一例を示す概観図を図１６に示す。図１６において、本実施形態に係る携帯送信端末１００は、さらに、タッチパネル上でオブジェクト又はテキストを選択することができる。
【００５４】
携帯送信端末１００は、タッチパネル１０１上でタッチペン１０２の選択したオブジェクト又はテキストを送信情報に変換する。送信情報の一例を図１７に示す。オブジェクト種別とそれを表示する座標、又はテキスト種別とそれを表示する座標を送信情報として送信する。この際に、先に説明した未送信フラグ又は送信済フラグも併せて記憶すると便利である。携帯受信端末２００は、受信したオブジェクト種別とそれを表示する座標、又はテキスト種別とそれを表示する座標から、線画に重ねてオブジェクト又はテキストを画面２０７に表示する。
【００５５】
線画に重ねてオブジェクト又はテキストを画面に表示することによって、ユーザの情報送受信に付加価値を与えることができる。また、携帯送信端末１００はカメラを備えて画像を送信し、携帯受信端末２００がカメラの撮影する画像を映してもよい。
【産業上の利用可能性】
【００５６】
本発明は、情報通信産業に適用することができる。
【００５７】
（付記１）
接触状態と接触位置を検出するタッチパネルと、
前記タッチパネルが接触状態を検出し続けている間は一筆の線画と判断し、一筆の線画に属する接触位置を線画情報として変換する送信制御部と、
前記送信制御部の変換した前記線画情報を記憶する送信記憶部と、
前記記憶部の記憶する前記線画情報を、一筆ごとに送信する送信部と、
を備える携帯送信端末。
【００５８】
（付記２）
前記送信制御部は、前記一筆の線画について一定距離ごとの点の位置を線画情報として変換することを特徴とする付記１に記載の携帯送信端末。
【００５９】
（付記３）
送信した前記線画情報を受信した旨の返信を受信する確認部を、さらに備え、
前記送信制御部は、変換した前記線画情報に未送信フラグを付加し、
前記送信部は、前記記憶部の記憶する未送信フラグのついた線画情報について、前記線画情報を一筆ごとに送信し、
前記送信記憶部は、前記送信制御部の変換した前記線画情報に未送信フラグを付加して記憶し、前記確認部が前記返信を受信すると、記憶した線画情報に付加されている前記未送信フラグに代えて、送信済フラグに書き換えることを特徴とする付記１又は２に記載の携帯送信端末。
【００６０】
（付記４）
画像を撮影するカメラを、さらに備え、
前記送信部は、前記カメラの撮影する画像も送信し、
前記タッチパネルは、前記カメラの撮影する画像上に線画を重ねて表示することを特徴とする付記１から３のいずれかに記載の携帯送信端末。
【００６１】
（付記５）
前記タッチパネルは、オブジェクト又はテキストを選択でき、前記選択したオブジェクト又はテキストを線画に重ねて表示し、
前記送信部は、前記選択したオブジェクト又はテキストの情報を送信することを特徴とする付記１から４のいずれかに記載の携帯送信端末。
【００６２】
（付記６）
線画情報を受信する受信部と、
前記受信部の受信した線画情報を記憶する受信記憶部と、
前記受信記憶部の記憶した線画情報から一筆ごとの線画に逆変換する受信制御部と、
前記受信制御部の逆変換した一筆ごとの線画を表示する表示部と、
を備える携帯受信端末。
【００６３】
（付記７）
前記受信制御部は、線画情報から一定距離ごとの点の位置に逆変換し、それぞれの点を結んで一筆の線画を再構成することを特徴とする付記６に記載の携帯受信端末。
【００６４】
（付記８）
前記受信部が線画情報を受信すると、受信した旨を返信する返信部を、さらに備えることを特徴する付記６又は７に記載の携帯受信端末。
【００６５】
（付記９）
前記受信部は、カメラの撮影する画像も受信し、
前記表示部は、前記受信部の受信する画像上に線画を重ねて表示することを特徴とする付記６から８のいずれかに記載の携帯受信端末。
【００６６】
（付記１０）
前記受信部は、オブジェクト又はテキストの情報を受信し、
前記表示部は、受信するオブジェクト又はテキスト上に線画を重ねて表示することを特徴とする付記６から９のいずれかに記載の携帯受信端末。
【００６７】
（付記１１）
接触状態と接触位置を検出するタッチ検出手順と、
接触状態が検出され続けている間は一筆の線画と判断し、一筆の線画に属する接触位置を線画情報として変換する送信制御手順と、
変換した前記線画情報を記憶し、記憶する前記線画情報を、一筆ごとに送信する送信手順と、
を順に備える携帯送信方法。
【００６８】
（付記１２）
前記送信制御手順は、前記一筆の線画について一定距離ごとの点の位置を線画情報として変換することを特徴とする付記１１に記載の携帯送信方法。
【００６９】
（付記１３）
前記送信制御手順では、変換した前記線画情報に未送信フラグを付加し、
前記送信手順では、変換した前記線画情報に前記未送信フラグを付加して記憶し、記憶する未送信フラグのついた線画情報について、前記線画情報を一筆ごとに送信し、
前記送信手順の後に、
送信した前記線画情報を受信した旨の返信を受信する確認手順と、
前記確認手順で返信を受信すると、記憶した前記線画情報に付加されている未送信フラグに代えて、送信済フラグに書き換える書き換え手順と、
をさらに順に備えることを特徴とする付記１１又は１２に記載の携帯送信方法。
【００７０】
（付記１４）
前記送信手順は、カメラの撮影する画像も送信し、
前記タッチ検出手順は、前記カメラの撮影する画像上に線画を重ねて表示することを特徴とする付記１１から１３のいずれかに記載の携帯送信方法。
【００７１】
（付記１５）
前記タッチ手順は、オブジェクト又はテキストを選択でき、前記選択したオブジェクト又はテキストを線画に重ねて表示し、
前記送信手順は、前記選択したオブジェクト又はテキストの情報を送信することを特徴とする付記１１から１４のいずれかに記載の携帯送信方法。
【００７２】
（付記１６）
線画情報を受信する受信手順と、
前記受信した線画情報を記憶し、記憶した線画情報から一筆ごとの線画に逆変換する受信制御手順と、
前記逆変換した一筆ごとの線画を表示する表示手順と、
を備える携帯受信方法。
【００７３】
（付記１７）
前記受信制御手順は、線画情報から一定距離ごとの点の位置に逆変換し、それぞれの点を結んで一筆の線画を再構成することを特徴とする付記１６に記載の携帯受信方法。
【００７４】
（付記１８）
前記受信手順、前記受信制御手順及び前記表示手順の後のいずれかに、
前記線画情報を受信すると、受信した旨を返信する返信手順を、さらに備えることを特徴する付記１６又は１７に記載の携帯受信方法。
【００７５】
（付記１９）
前記受信手順は、カメラの撮影する画像も受信し、
前記表示手順は、前記受信する画像上に線画を重ねて表示することを特徴とする付記１６から１８のいずれかに記載の携帯受信方法。
【００７６】
（付記２０）
前記受信手順は、オブジェクト又はテキストの情報も受信し、
前記表示手順は、受信するオブジェクト又はテキスト上に線画を重ねて表示することを特徴とする付記１６から１９のいずれかに記載の携帯受信方法。
【００７７】
（付記２１）
接触状態と接触位置を検出するタッチ検出手順と、
接触状態が検出され続けている間は一筆の線画と判断し、一筆の線画に属する接触位置を線画情報として変換する送信制御手順と、
変換した前記線画情報を記憶し、記憶する前記線画情報を、一筆ごとに送信する送信手順と、
を順に備える携帯送信端末に実行させる携帯送信端末の携帯送信プログラム。
【００７８】
（付記２２）
前記送信制御手順は、前記一筆の線画について一定距離ごとの点の位置を線画情報として変換することを特徴とする付記２１に記載の携帯送信端末の携帯送信プログラム。
【００７９】
（付記２３）
前記送信制御手順では、変換した前記線画情報に未送信フラグを付加し、
前記送信手順では、変換した前記線画情報に前記未送信フラグを付加して記憶し、記憶する未送信フラグのついた線画情報について、前記線画情報を一筆ごとに送信し、
前記送信手順の後に、
送信した前記線画情報を受信した旨の返信を受信する確認手順と、
前記確認手順で返信を受信すると、記憶した前記線画情報に付加されている未送信フラグに代えて、送信済フラグに書き換える書き換え手順と、
をさらに順に備えることを特徴とする付記２１又は２２に記載の携帯送信端末の携帯送信プログラム。
【００８０】
（付記２４）
前記送信手順は、カメラの撮影する画像も送信し、
前記タッチ検出手順は、前記カメラの撮影する画像上に線画を重ねて表示することを特徴とする付記２１から２３のいずれかに記載の携帯送信端末の携帯送信プログラム。
【００８１】
（付記２５）
前記タッチ手順は、オブジェクト又はテキストを選択でき、前記選択したオブジェクト又はテキストを線画に重ねて表示し、
前記送信手順は、前記選択したオブジェクト又はテキストの情報を送信することを特徴とする付記２１から２４のいずれかに記載の携帯送信端末の携帯送信プログラム。
【００８２】
（付記２６）
線画情報を受信する受信手順と、
前記受信した線画情報を記憶し、記憶した線画情報から一筆ごとの線画に逆変換する受信制御手順と、
前記逆変換した一筆ごとの線画を表示する表示手順と、
を備える携帯受信端末に実行させる携帯受信端末の携帯受信プログラム。
【００８３】
（付記２７）
前記受信制御手順は、線画情報から一定距離ごとの点の位置に逆変換し、それぞれの点を結んで一筆の線画を再構成することを特徴とする付記２６に記載の携帯受信端末の携帯受信プログラム。
【００８４】
（付記２８）
前記受信手順、前記受信制御手順及び前記表示手順の後のいずれかに、
前記線画情報を受信すると、受信した旨を返信する返信手順を、さらに備えることを特徴する付記２６又は２７に記載の携帯受信端末の携帯受信プログラム。
【００８５】
（付記２９）
前記受信手順は、カメラの撮影する画像も受信し、
前記表示手順は、前記受信する画像上に線画を重ねて表示することを特徴とする付記２６から２８のいずれかに記載の携帯受信端末の携帯受信プログラム。
【００８６】
（付記３０）
前記受信手順は、オブジェクト又はテキストの情報も受信し、
前記表示手順は、受信するオブジェクト又はテキスト上に線画を重ねて表示することを特徴とする付記２６から２９のいずれかに記載の携帯受信端末の携帯受信プログラム。
【００８７】
（付記３１）
接触状態と接触位置を検出するタッチパネルと、
前記タッチパネルが接触状態を検出し続けている間は一筆の線画と判断し、一筆の線画に属する接触位置を線画情報として変換する送信制御部と、
前記送信制御部の変換した前記線画情報を記憶する送信記憶部と、
前記記憶部の記憶する前記線画情報を、一筆ごとに送信する送信部と、
を備える携帯送信端末、及び
前記線画情報を受信する受信部と、
前記受信部の受信した前記線画情報を記憶する受信記憶部と、
前記受信記憶部の記憶した前記線画情報から一筆ごとの線画に逆変換する受信制御部と、
前記受信制御部の逆変換した前記一筆ごとの線画を表示する表示部と、
を備える携帯受信端末
を有する携帯送受信システム。
【００８８】
（付記３２）
前記送信制御部は、前記一筆の線画について一定距離ごとの点の位置を線画情報として変換し、
前記受信制御部は、前記線画情報から一定距離ごとの点の位置に逆変換し、それぞれの点を結んで一筆の線画を再構成することを特徴とする付記３１に記載の携帯送受信システム。
【００８９】
（付記３３）
前記携帯送信端末は、送信した前記線画情報を受信した旨の返信を受信する確認部を、さらに備え、
前記送信制御部は、変換した前記線画情報に未送信フラグを付加し、
前記送信部は、前記記憶部の記憶する未送信フラグのついた線画情報について、前記線画情報を一筆ごとに送信し、
前記送信記憶部は、前記送信制御部の変換した前記線画情報に未送信フラグを付加して記憶し、前記確認部が前記返信を受信すると、記憶した線画情報に付加されている前記未送信フラグに代えて、送信済フラグに書き換え、
前記携帯受信端末は、前記受信部が前記線画情報を受信すると、受信した旨を返信する返信部を、さらに備えることを特徴する付記３１又は３２に記載の携帯送受信システム。
【００９０】
（付記３４）
前記携帯送信端末は、画像を撮影するカメラを、さらに備え、
前記送信部は、前記カメラの撮影する画像も送信し、
前記タッチパネルは、前記カメラの撮影する画像上に線画を重ねて表示し、
前記受信部は、カメラの撮影する画像も受信し、
前記表示部は、前記受信部の受信する画像上に線画を重ねて表示することを特徴とする付記３１から３３のいずれかに記載の携帯送受信システム。
【００９１】
（付記３５）
前記タッチパネルは、オブジェクト又はテキストを選択でき、前記選択したオブジェクト又はテキストを線画に重ねて表示し、
前記送信部は、前記選択したオブジェクト又はテキストの情報を送信し、
前記受信部は、前記オブジェクト又はテキストの情報を受信し、
前記表示部は、受信する前記オブジェクト又はテキスト上に線画を重ねて表示することを特徴とする付記３１から３４のいずれかに記載の携帯送受信システム。
【００９２】
（付記３６）
接触状態と接触位置を検出するタッチ検出手順と、
接触状態が検出され続けている間は一筆の線画と判断し、一筆の線画に属する接触位置を線画情報として変換する送信制御手順と、
変換した前記線画情報を記憶し、記憶する前記線画情報を、一筆ごとに送信する送信手順と、
線画情報を受信する受信手順と、
前記受信した線画情報を記憶し、記憶した線画情報から一筆ごとの線画に逆変換する受信制御手順と、
前記逆変換した一筆ごとの線画を表示する表示手順と、
を備える携帯送受信方法。
【００９３】
（付記３７）
前記送信制御手順は、前記一筆の線画について一定距離ごとの点の位置を線画情報として変換し、
前記受信制御手順は、線画情報から一定距離ごとの点の位置に逆変換し、それぞれの点を結んで一筆の線画を再構成することを特徴とする付記３６に記載の携帯送受信方法。
【００９４】
（付記３８）
前記送信制御手順では、変換した前記線画情報に未送信フラグを付加し、
前記送信手順では、変換した前記線画情報に前記未送信フラグを付加して記憶し、記憶する未送信フラグのついた線画情報について、前記線画情報を一筆ごとに送信し、
前記受信手順、前記受信制御手順及び前記表示手順の後のいずれかに、
前記線画情報を受信すると、受信した旨を返信する返信手順を、
前記返信手順の後に、
送信した前記線画情報を受信した旨の返信を受信する確認手順と、
前記確認手順で返信を受信すると、記憶した前記線画情報に付加されている未送信フラグに代えて、送信済フラグに書き換える書き換え手順と、
をさらに順に備えることを特徴とする付記３６又は３７に記載の携帯送受信方法。
【００９５】
（付記３９）
前記送信手順は、カメラの撮影する画像も送信し、
前記タッチ検出手順は、前記カメラの撮影する画像上に線画を重ねて表示し、
前記受信手順は、カメラの撮影する画像も受信し、
前記表示手順は、前記受信する画像上に線画を重ねて表示することを特徴とする付記３６から３８のいずれかに記載の携帯送受信方法。
【００９６】
（付記４０）
前記タッチ手順は、オブジェクト又はテキストを選択でき、前記選択したオブジェクト又はテキストを線画に重ねて表示し、
前記送信手順は、前記選択したオブジェクト又はテキストの情報を送信し、
前記受信手順は、オブジェクト又はテキストの情報も受信し、
前記表示手順は、受信するオブジェクト又はテキスト上に線画を重ねて表示することを特徴とする付記３６から３９のいずれかに記載の携帯送受信方法。
【符号の説明】
【００９７】
１００：携帯送信端末
１０１：タッチパネル
１０２：タッチペン
１０３：送信制御部
１０４：送信記憶部
１０５：送信部
１１０：確認部
１１１：送信表示制御部
１２０：送信側カメラ
２００：携帯受信端末
２０２：受信部
２０３：受信記憶部
２０４：受信制御部
２０５：表示部
２０６：信表示制御部
２０７：画面
２１０：返信部
２２０：受信側カメラ
Ｓ１０１：タッチ検出手順
Ｓ１０２：送信制御手順
Ｓ１０３：送信手順
Ｓ１１０：確認手順
Ｓ１１１：書き換え手順
Ｓ２０１：受信手順
Ｓ２０２：受信制御手順
Ｓ２０３：表示手順
Ｓ２１０：返信手順
【図１】
2011141726.tif 000003
【図２】
2011141726.tif 000004
【図３】
2011141726.tif 000005
【図４】
2011141726.tif 000006
【図５】
2011141726.tif 000007
【図６】
2011141726.tif 000008
【図７】
2011141726.tif 000009
【図８】
2011141726.tif 000010
【図９】
2011141726.tif 000011
【図１０】
2011141726.tif 000012
【図１１】
2011141726.tif 000013
【図１２】
2011141726.tif 000014
【図１３】
2011141726.tif 000015
【図１４】
2011141726.tif 000016
【図１５】
2011141726.tif 000017
【図１６】
2011141726.tif 000018
【図１７】
2011141726.tif 000019